(57)【特許請求の範囲】
【請求項１】
壁面の排水管の上方に固設されるバックハンガーに衛生陶器の取付け部を掛止させるとともに、衛生陶器背面の排水口を前記排水管に接続して壁面に衛生陶器を設置する施工方法であって、
前記取付け部の位置に合わせて上型紙を衛生陶器の背面に固定する工程と、
前記排水口の位置に合わせて下型紙を衛生陶器の背面に固定する工程と、
衛生陶器の背面に固定させた前記上型紙と下型紙を一体化させる工程と、
上型紙と下型紙を一体化した状態で衛生陶器から外し、下型紙を前記排水管の位置に合わせて壁面に固定するとともに、上型紙を上方へ引き上げて前記バックハンガーの壁面への固定位置を決定する工程と、
を含むことを特徴とする衛生陶器の施工方法。
【請求項２】
前記上型紙を衛生陶器の背面に固定する工程が、該上型紙の上部裏面に設けた両面テープを衛生陶器に貼り付ける工程であり、
前記上型紙と下型紙を一体化させる工程が、下型紙の上部裏面に設けた両面テープを上型紙の下部表面に貼り付ける工程である
ことを特徴とする請求項１に記載の衛生陶器の施工方法。
【請求項３】
前記上型紙には位置合わせラインが形成され、該位置合わせラインを衛生陶器の背面の取付け部の位置に描かれた合わせマークに合わせて、該上型紙を衛生陶器の背面に位置決めできるように構成され、
前記下型紙には、排水口挿入孔とその側方に長穴が開口形成され、前記排水口挿入孔内に排水口を挿入させて該下型紙を衛生陶器の背面に位置決めできるとともに、前記長穴内に前記排水管に取り付けたフランジのボルトを挿入させて該下型紙を前記壁面に位置決めできるように構成されている
ことを特徴とする請求項１または請求項２に記載の衛生陶器の施工方法。
【発明の詳細な説明】
【技術分野】
【０００１】
本発明は、小便器，壁掛け式流し，壁掛け式洗面器等の衛生陶器を壁面に設置する施工方法に関するものである。
【背景技術】
【０００２】
衛生陶器は製造上３％程度の寸法ばらつきが生じており、この衛生陶器を壁面に施工された排水管の上方に固設したバックハンガーに掛止して、衛生陶器の排水口を壁面の排水管に接続して設置する場合、先に壁側にバックハンガーの固定位置を決めておくと、衛生陶器の寸法のばらつきによりバックハンガーに掛止した状態で衛生陶器の排水口と壁面の排水管の位置が整合せず、良好に衛生陶器の排水口と壁側の排水管を接続できない事態が生じ、特に、衛生陶器の排水口が壁側の排水管よりも下方位置になるような場合には、壁側の排水管に衛生陶器の荷重が掛かり、漏水の原因となっていた。
なお、従来、特許文献１に開示されているように、型紙の開口と小便器の排水口を合致させて小便器の背面に型紙を取り付け、小便器の背面に取り付けた型紙に対し、小便器の上部取付け部の貫通孔を通しマーキングを施し、このマークを付けた型紙を壁面に装着し、型紙のマークの位置に下孔を形成し、下孔に小便器を支持するブラケットを取り付ける工程を含む、壁掛け式小便器の取付け方法が存在する。
【特許文献１】特開平９−７８６７０号公報
【発明の開示】
【発明が解決しようとする課題】
【０００３】
上記特許文献１に開示されている取付け方法では、型紙に対し小便器の前側からネジの螺合位置をマーキングするものであり、ピンポイントのマーキングとなり、横に型紙がずれる虞もあり、正確な位置にマーキングすることが困難であった。また、バックハンガータイプのものでは背面からチェックすることとなり、確実に位置をマークできないという問題点があった。
【課題を解決するための手段】
【０００４】
本発明は、壁側の正確な位置にバックハンガーを固定して、衛生陶器の寸法公差に係わらず、衛生陶器の排水口を壁側の排水管に確実に接続して壁に設置することのできる衛生陶器の施工方法を提供することを目的の１つとし、この目的の少なくとも一部を達成するために以下の手段を採った。
本発明は、壁面の排水管の上方に固設されるバックハンガーに衛生陶器の取付け部を掛止させるとともに、衛生陶器背面の排水口を前記排水管に接続して壁面に衛生陶器を設置する施工方法であって、前記取付け部の位置に合わせて上型紙を衛生陶器の背面に固定する工程と、前記排水口の位置に合わせて下型紙を衛生陶器の背面に固定する工程と、衛生陶器の背面に固定させた前記上型紙と下型紙を一体化させる工程と、上型紙と下型紙を一体化した状態で衛生陶器から外し、下型紙を前記排水管の位置に合わせて壁面に固定するとともに、上型紙を上方へ引き上げて前記バックハンガーの壁面への固定位置を決定する工程と、を含むことを要旨とする。
【発明の効果】
【０００５】
衛生陶器の取付け部に位置合わせできる上型紙と、衛生陶器の排水口に位置合わせできる下型紙を、衛生陶器の背面に固定した状態で一体化させ、この一体化させた上型紙と下型紙を衛生陶器から外して、壁面の排水管位置に下型紙を合わせて上型紙を上方へ引き上げ、壁面のバックハンガーの固定位置を確実に決定することができ、衛生陶器の寸法公差があっても、現実の衛生陶器の排水口と取付け部間の寸法に合わせて、壁側の排水管の上方にバックハンガーを固定することができ、固定されたバックハンガーに衛生陶器の取付け部を掛止させた状態で、確実に衛生陶器の排水口と壁側の排水管が整合されて良好に接続できるものとなる。
【０００６】
また、本発明の衛生陶器の施工方法において、前記上型紙を衛生陶器の背面に固定する工程が、該上型紙の上部裏面に設けた両面テープを衛生陶器に貼り付ける工程であり、前記上型紙と下型紙を一体化させる工程が、下型紙の上部裏面に設けた両面テープを上型紙の下部表面に貼り付ける工程である構成とすることもできる。
こうすれば、上型紙を衛生陶器の背面に良好に固定することができ、また、上型紙と下型紙を容易に一体化させることができる。
【０００７】
また、本発明の衛生陶器の施工方法において、前記上型紙には位置合わせラインが形成され、該位置合わせラインを衛生陶器の背面の取付け部の位置に描かれた合わせマークに合わせて、該上型紙を衛生陶器の背面に位置決めできるように構成され、前記下型紙には、排水口挿入孔とその側方に長穴が開口形成され、前記排水口挿入孔内に排水口を挿入させて該下型紙を衛生陶器の背面に位置決めできるとともに、前記長穴内に前記排水管に取り付けたフランジのボルトを挿入させて該下型紙を前記壁面に位置決めできるように構成することもできる。
こうすれば、上型紙の位置合わせラインを衛生陶器に描かれた合わせマークに合わせて、上型紙を衛生陶器の背面に位置決め固定することができ、また、下型紙に形成されている排水口挿入孔内に衛生陶器の排水口を挿入させて、下型紙を衛生陶器の背面に位置決めすることができ、この状態で上型紙と下型紙を一体化させたのち取り外し、取り外した下型紙に形成されている長穴内に壁面側の排水管に取り付けたフランジのボルトを挿入させることで、下型紙を壁面の所定位置に位置決めすることができ、この状態で上型紙を上方へ引き上げて、上型紙の位置合わせラインにより、壁面へのバックハンガーの固定位置を確実に決定することができる。
【発明を実施するための最良の形態】
【０００８】
次に、本発明を実施するための最良の形態を実施例を用いて説明する。
本実施例では、陶器製の小便器を壁面に設置する場合を例示する。
小便器５は、図１の側面図で、また図２の正面図で示すように設置される。
壁面１には配管業者により排水管２が既に配管施工されており、この排水管２の上方の壁面１にバックハンガー３，３を固定して、このバックハンガー３に小便器５の背面の取付け部５ａ，５ａを掛止させ、その状態で、小便器５の下部の排水トラップ５ｂから背面側へ突出して設けられている排水口５ｃを排水管２に接続して、壁面１に小便器５が設置される。
陶器製の小便器５には、製造上、寸法公差が生じるため、既に配管施工されている排水管２に対し、小便器５の取付け部５ａの位置に合わせて壁面１に正確にバックハンガー３を固定する必要がある。そのために、本例では、後述する上型紙１１と下型紙１２を用い、バックハンガー３の壁面１への固定位置を正確に決定することができる。
【０００９】
先ず、壁面１側の排水管２に取り付けられる壁フランジについて、図３，図４，図５で説明する。
図３に示すように、壁面１には既に配管業者により排水管２が配管施工されており、この排水管２の上方側のバックハンガー３の固定位置に、木造壁の場合は予め壁面１の裏側に水平状に補強木７を取り付けておく。
また、排水管２には壁面１を仕上げした後に壁フランジ６が取り付けられる。
排水管２を壁の仕上げ面から１５ｍｍ〜２０ｍｍ確保して切断し、壁の仕上げ面上に壁フランジ６を排水管２の回りに固定するのであるが、壁フランジ６の取付け穴６ａ，６ａ内にネジ８を通して、ネジ８を壁に締め付けて壁フランジ６を固定する時に、壁フランジ６の裏側から壁フランジ６のボルト孔６ｂ，６ｂ内にそれぞれフランジボルト９のネジ部を通し、フランジボルト９，９のフランジ部を壁面１と壁フランジ６で挟持して、フランジボルト９，９のネジ部を壁フランジ６から室内側へ突出させておく。
【００１０】
なお、壁フランジ６が樹脂製の場合には、図５に示すように、排水管（塩ビ排水管）２を壁面１と面一になるように切断し、ＶＵ管の場合は、予め接着剤で壁フランジ６にアダプター１０を嵌め込み固定させておき、壁フランジ６の取付け穴６ａ，６ａ，６ａ内にネジ８を通して、ネジ８で壁フランジ６を壁面１に固定し、この時に、壁フランジ６のボルト孔６ｂ，６ｂ内に裏側からＴボルト９，９のネジ部を通して、Ｔボルト９，９のフランジ部を壁面１と壁フランジ６で挟持して、Ｔボルト９，９のネジ部を壁フランジ６から室内側へ突出させておく。
このように、先に壁面１の排水管２の回りに壁フランジ６を取付け固定しておく。
【００１１】
次に、本例では、図６に示す上型紙１１と、図７に示す下型紙１２を、小便器５の背面に貼り付け固定させる。
上型紙１１は、図６に示すように、中央部に縦方向にセンターライン１１ａが描かれており、上方側には、水平に位置合わせライン１１ｂが描かれており、位置合わせライン１１ｂ上の左右側に、バックハンガー３を壁面１に固定するためのビスの位置を示すビス位置マーク１１ｃ，１１ｃが描かれている。このビス位置マーク１１ｃは、バックハンガー３を３点で支持するために３個所それぞれ印されている。また、上型紙１１の上端側の裏面には、左右側に両面テープ１１ｅ，１１ｅが貼られている。なお、両面テープ１１ｅ，１１ｅは、横長状の一枚の両面テープで構成しても良く、その位置は上端が好ましいが、上部であって、ビス位置マーク１１ｃより上方であれば良い。
【００１２】
一方、図７に示す下型紙１２には、中央部に縦方向にセンターライン１２ａが描かれており、センターライン１２ａ上の下部部位に排水口挿入孔１２ｂが貫通形成されている。この排水口挿入孔１２ｂは、小便器５の背面に突出している排水口５ｃより僅かに大きい丸孔である。また、排水口挿入孔１２ｂの左右側には長穴１２ｃ，１２ｃが一対貫通形成されている。また、下型紙１２の上端側の裏面には、両面テープ１２ｅが横長状に貼られている。
【００１３】
先ず、図８に示すように、上型紙１１を小便器５の背面の上部部位に裏面の両面テープ１１ｅ，１１ｅの剥離紙を剥がして貼着固定する。
この場合、小便器５の背面の取付け部５ａの位置には、中央部の上合わせマークＭ１と、左右の右合わせマークＭ２，左合わせマークＭ３が予め描かれており、上合わせマークＭ１に上型紙１１のセンラーライン１１ａを合わせ、また、上型紙１１の位置合わせライン１１ｂの左右端を右合わせマークＭ２および左合わせマークＭ３に合わせて、上型紙１１を小便器５の背面に位置決めして固定する。
【００１４】
次に、図９に示すように、小便器５の背面に略水平に突出されている排水口５ｃを、下型紙１２の排水口挿入孔１２ｂ内に差し込んで、下型紙１２を小便器５の背面に位置決めし、その後、図１０に示すように、下型紙１２の裏面の両面テープ１２ｅの剥離紙を剥がして、下型紙１２の上端側を上型紙１１の下部表面に貼り付け固定する。
【００１５】
このようにして、上型紙１１と下型紙１２を小便器５の背面側で連結させて一体化させた後、一体化させた上型紙１１と下型紙１２を図１１に示すように小便器５の背面から取り外す。
取り外した状態で、図１２に示すように、壁面１に既に配置され壁フランジ６から室内側に突出している一対のフランジボルト９，９のネジ部を、それぞれ下型紙１２の左右の長穴１２ｃ，１２ｃ内に差し込み、壁面１に下型紙１２を位置決めする。
【００１６】
この状態で紙が破れないように上型紙１１を上方へ引き上げて、図１３に示すように、壁面１に描かれている壁センターライン１ａに対し、上型紙１１のセンターライン１１ａを整合させて、上型紙１１を壁面１に位置決めする。
この状態で、上型紙１１に描かれているビス位置マーク１１ｃに合わせてビス４を位置決めすることができる。
図１４に示すように、バックハンガー３の下部部位の長孔３ａ内にビス４を入れて、ビス４を上型紙１１の位置合わせライン１１ｂ上のビス位置マーク１１ｃに合わせて、ビス４を締め付け、バックハンガー３を仮固定する。同様に、他方側のバックハンガー３も図１５のように壁面１にビス４で仮固定する。
その後、壁面１から上型紙１１，下型紙１２を取り外す。この場合、一旦バックハンガー３を取り外して、上型紙１１，下型紙１２を取り外しても良い。
【００１７】
このようにして所定位置にバックハンガー３，３を仮固定しておき、図１６に示すように、壁面１に固定されている壁フランジ６に対しフランジアタッチメント本体１３をワッシャーＷとナットＮで仮固定する。
この状態で図１７に示すように、フランジアタッチメント本体１３の大小の袋ナット１６，１８及び大小のパッキン１５，１７及び芯管１４を外して、図１８に示すように、小便器５の排水口５ｃの先端にこれらを仮取り付けする。
【００１８】
この状態で図１９に示すように、小便器５の取付け部５ａを壁面１のバックハンガー３，３に掛止しながら、芯管１４が壁１側のフランジアタッチメント本体１３に差し込まれていることを確認する。差し込まれていない場合は、長孔３ａを介しバックハンガー３，３を上下にスライドさせて高さ調整する。
差し込まれていることが確認された状態で小便器５を一旦取り外し、壁面１にビス４を締め付けてバックハンガー３を確実に固定する。
バックハンガー３を確実に壁面１に固定した後に、小便器５をバックハンガー３，３に掛止して、芯管１４をフランジアタッチメント本体１３に図２０のように差し込み、芯管１４を小さい袋ナット１８で排水口５ｃの先端に仮固定する。
なお、大きいパッキン１５を芯管１４に沿ってスライドさせてフランジアタッチメント本体１３に入れた後、大きい袋ナット１６で芯管１４をフランジアタッチメント本体１３に仮固定する。その後、水漏れ検査等を行って、大小の袋ナット１６，１８を確実に締め付けて施工を完了する。
【００１９】
このように本例では、壁面１にバックハンガー３を固定するために上型紙１１と下型紙１２を用い、この両型紙１１，１２を予め小便器５の背面の取付け部５ａと排水口５ｃの位置に固定して、この固定した状態で両型紙を連結一体化させ、小便器５の実際の取付け部５ａと排水口５ｃ間の寸法に合わせて、上型紙１１の位置合わせライン１１ｂと下型紙１２の排水口挿入孔１２ｂ間の寸法を合致させることができ、この状態で一体化させた型紙１１，１２を小便器５から取り外して、壁面１に施工されている排水管２の位置に下型紙１２の長穴１２ｃを位置決めして上型紙１１を上方へ引き上げることにより、確実に小便器５の取付け部５ａの位置に上型紙１１の位置合わせライン１１ｂを合わせることができて、この位置合わせライン１１ｂの位置に描かれているビス位置マーク１１ｃにビスを位置させ、小便器５の寸法に合わせた位置にバックハンガー３を確実にビス４で取り付けることができる。
従って、小便器５に寸法公差が生じていても、現実の小便器５の寸法に合わせてバックハンガー３の取付け位置を正確に割り出すことができるため、バックハンガー３に小便器５を掛止させた状態で確実に小便器の排水口５ｃが壁側の排水管２に整合されて、良好に排水口５ｃを排水管２に接続させることができ、漏水等の生じない小便器５の設置状態が得られるものである。
【００２０】
なお、図２２に示す上型紙１１と、図２３に示す下型紙１２は変更例である。
変更例の上型紙１１は、中央部に縦方向にセンターライン１１ａが描かれており、上方側には、水平に位置合わせライン１１ｂが描かれており、位置合わせライン１１ｂ上の左右側に、バックハンガー３を壁面１に固定するためのビスの位置を示すビス位置マーク１１ｃ，１１ｃが描かれている。このビス位置マーク１１ｃは、バックハンガー３を３点で支持するために３個所それぞれ印されている。また、上型紙１１の下部部位には、下型紙先端差込口１１ｄが開口されている。また、上型紙１１の上端側の裏面には、左右側に両面テープ１１ｅ，１１ｅが貼られている。
【００２１】
一方、変更例の下型紙１２には、中央部に縦方向にセンターライン１２ａが描かれており、センターライン１２ａ上の下部部位に排水口挿入孔１２ｂが貫通形成されている。また、排水口挿入孔１２ｂの左右側には長穴１２ｃ，１２ｃが一対貫通形成されている。
なお、下型紙１２の上端側中央部は、上方へ延びた先端部１２ｄとなっており、この先端部１２ｄの上端側の表面に両面テープ１２ｅが貼られている。
【００２２】
変更例においても、図８に示したようにして、上型紙１１を小便器５の背面の上部部位に両面テープ１１ｅ，１１ｅの剥離紙を剥がして貼着固定する。
この場合、小便器５の背面の取付け部５ａの位置には、中央部の上合わせマークＭ１と、左右の右合わせマークＭ２，左合わせマークＭ３が予め描かれており、上合わせマークＭ１に上型紙１１のセンラーライン１１ａを合わせ、また、上型紙１１の位置合わせライン１１ｂの左右端を右合わせマークＭ２および左合わせマークＭ３に合わせて、上型紙１１を小便器５の背面に位置決めして固定する。
【００２３】
次に、図９に示したようにして、小便器５の背面に略水平に突出されている排水口５ｃを、下型紙１２の排水口挿入孔１２ｂ内に差し込んで、下型紙１２を小便器５の背面に位置決めし、その後、図２４に示すように、下型紙１２の上端の先端部１２ｄを、上型紙１１に開口されている下型紙先端差込口１１ｄに対し裏側から表側へ向かって差し込み、差し込んだ状態で先端部１２ｄを上型紙１１の表側で下方側へ折り曲げて、両面テープ１２ｅにより折り曲げた先端部１２ｄを固定する。
【００２４】
このようにして、上型紙１１と下型紙１２を小便器５の背面側で連結させて一体化させた後、一体化させた上型紙１１と下型紙１２を図１１に示したように小便器５の背面から取り外す。
取り外した状態で、図１２に示したように、壁面１に既に配置され壁フランジ６から室内側に突出している一対のフランジボルト９，９のネジ部を、それぞれ下型紙１２の左右の長穴１２ｃ，１２ｃ内に差し込み、壁面１に下型紙１２を位置決めする。
【００２５】
この状態で紙が破れないように上型紙１１を上方へ引き上げて、図１３に示したように、壁面１に描かれている壁センターライン１ａに対し、上型紙１１のセンターライン１１ａを整合させて、上型紙１１を壁面１に位置決めする。
この状態で、上型紙１１に描かれているビス位置マーク１１ｃに合わせてビス４を位置決めすることができる。
【００２６】
なお、上記実施例では、小便器５を設置する場合の施工方法を例示したが、小便器５に限らず、陶器製の壁掛け式流し、或いは壁掛け式の洗面器においても、同様に上型紙１１，下型紙１２を用いて、現実の壁掛け式流し或いは壁掛け式洗面器の寸法に適応したバックハンガーの壁面への取付け位置を決定することができ、これらの衛生陶器を確実に壁面１に漏水することなく施工することができる。
【図面の簡単な説明】
【００２７】
【図１】壁面に小便器を設置した状態の側面構成図である。
【図２】図１の正面構成図である。
【図３】壁面に既に配管施工されている排水管と、その上方の壁面裏側に設けられた補強木の斜視構成図である。
【図４】壁面の排水管に対し取り付けられる壁フランジの分解斜視図である。
【図５】樹脂製の壁フランジの排水管への取付け前の分解斜視図である。
【図６】上型紙の正面構成図である。
【図７】下型紙の正面構成図である。
【図８】上型紙を小便器の背面に位置決め固定する作業説明図である。
【図９】下型紙を小便器の背面に位置決め固定する作業説明図である。
【図１０】位置決め固定した上型紙と下型紙を連結一体化させる作業説明図である。
【図１１】一体化した上型紙と下型紙を小便器から外す作業説明図である。
【図１２】上型紙と一体化した下型紙を壁面に位置決めする作業説明図である。
【図１３】更に上型紙を上方へ引き上げた作業説明図である。
【図１４】引き上げた上型紙のビス位置マークに合わせてビスでバックハンガーを仮固定する状態の作業説明図である。
【図１５】一対のバックハンガーを仮固定した状態の作業説明図である。
【図１６】壁側に固定した壁フランジに対しフランジアタッチメント本体を取り付ける前の分解斜視図である。
【図１７】フランジアタッチメント本体の大小の袋ナット及び大小のパッキン及び芯管を外した状態の斜視構成図である。
【図１８】外した部材を小便器の排水口に仮取付けする作業説明図である。
【図１９】排水口に取り付けた芯管を壁側のフランジアタッチメント本体に差し込む作業説明図である。
【図２０】芯管を小さい袋ナットで小便器の排水口に仮固定する状態の斜視構成図である。
【図２１】更に大きい袋ナットで芯管を壁側のフランジアタッチメント本体に仮固定する状態の要部拡大斜視構成図である。
【図２２】変更例の上型紙の正面構成図である。
【図２３】変更例の下型紙の正面構成図である。
【図２４】位置決め固定した上型紙と下型紙を連結一体化させる変更例の作業説明図である。
【符号の説明】
【００２８】
１  壁面
１ａ  センターライン
２  排水管
３  バックハンガー
４  ビス
５  小便器
５ａ  取付け部
５ｂ  排水トラップ
５ｃ  排水口
６  壁フランジ
６ａ  取付け穴
６ｂ  ボルト孔
７  補強木
８  ネジ
９  フランジボルト（Ｔボルト）
１０  アダプター
１１  上型紙
１１ａ  センターライン
１１ｂ  位置合わせライン
１１ｃ  ビス位置マーク
１１ｄ  下型紙先端差込口
１１ｅ，１２ｅ  両面テープ
１２  下型紙
１２ａ  センターライン
１２ｂ  排水口挿入孔
１２ｃ  長穴
１２ｄ  先端部
１３  フランジアタッチメント本体
１４  芯管
１５  大パッキン
１６  大袋ナット
１７  小パッキン
１８  小袋ナット
Ｍ１，Ｍ２，Ｍ３  小便器側合わせマーク
【図１】
0005008594.tif 000002
【図２】
0005008594.tif 000003
【図３】
0005008594.tif 000004
【図４】
0005008594.tif 000005
【図５】
0005008594.tif 000006
【図６】
0005008594.tif 000007
【図７】
0005008594.tif 000008
【図８】
0005008594.tif 000009
【図９】
0005008594.tif 000010
【図１０】
0005008594.tif 000011
【図１１】
0005008594.tif 000012
【図１２】
0005008594.tif 000013
【図１３】
0005008594.tif 000014
【図１４】
0005008594.tif 000015
【図１５】
0005008594.tif 000016
【図１６】
0005008594.tif 000017
【図１７】
0005008594.tif 000018
【図１８】
0005008594.tif 000019
【図１９】
0005008594.tif 000020
【図２０】
0005008594.tif 000021
【図２１】
0005008594.tif 000022
【図２２】
0005008594.tif 000023
【図２３】
0005008594.tif 000024
【図２４】
0005008594.tif 000025